(57)【特許請求の範囲】
【請求項１】
マウス本体と、
上記マウス本体の底面に設置されて同マウス本体の移動で回転する回転駆動体と、
伝達された回転力を慣性力で維持するはずみ車に上記回転駆動体の回転力を歯車を介して伝達するはずみ車機構と、
上記はずみ車機構に連結された発電器と、
上記発電器から電源供給されて蓄電する蓄電部と、
上記蓄電部から電源供給されてマウス操作に応じた信号出力するマウス信号出力部とを具備し、
上記はずみ車機構は、
上記回転駆動体の回転力を上記はずみ車機構に伝達するとともに、上記回転駆動体が停止した際、はずみ車の慣性力による回転を阻害しない押しつめ支持機構を有することを特徴とする発電式無電源マウス。
【請求項２】
上記請求項１に記載の発電式無電源マウスにおいて、
上記マウス本体は、上記回転駆動体と当接して回転力を上記はずみ車機構に伝達するピンチローラーを有し、
上記ピンチローラーは、上記マウス本体を底面方向に押下げることにより上記回転駆動体と当接するよう、上記マウス本体内にて上記回転駆動体より上方に設置されることを特徴とする発電式無電源マウス。
【請求項３】
上記請求項１または請求項２のいずれかに記載の発電式無電源マウスにおいて、
上記はずみ車機構は、
上記はずみ車に回転力を伝達する際、上記はずみ車の回転方向が一定になるよう、同はずみ車機構の歯車の伝達方向を規制する回転方向規制機構を有し、
上記押しつめ支持機構は、
上記はずみ車と回転軸を同一にして固定するつめ車と、
上記はずみ車機構からの回転力を伝達されるとともに、上記はずみ車と回転軸方向を同一にして回転する押しつめ支持板と、
上記押しつめ支持板の両端に回転可能に配置され、同押しつめ支持板の回転力を上記つめ車の歯を押すことにより上記はずみ車に伝達する一対の押しつめとを備えることを特徴とする発電式無電源マウス。
【発明の詳細な説明】
【０００１】
【発明の属する技術分野】
本発明は、発電式無電源マウスに関し、特に、回転駆動体に連結された発電器が電力供給を行う発電式無電源マウスに関する。
【０００２】
【従来の技術】
従来の発電式無電源マウスとしては、特開平７−２２５６４９号公報に開示されたものが知られている。
同公報によれば、コードレスマウス１は、図８に示すように、底部に備えられたボール２と、同ボール２と面接するピンチローラ３と、このピンチローラ３に連結されるとともに同ピンチローラ３の回転力により発電を行う発電機４とを備え、ボール２を回転させることによりピンチローラ３を回転させて発電機４に発電させる。
【０００３】
上記ピンチローラ３と発電機４は、シャフト５を介して連結されているため、ボール２が実際に回転する力を発電機４に伝達している。このため、ボール２を回転させている間にだけ発電機４で発電を行っていた。
【０００４】
【発明が解決しようとする課題】
上述した従来の発電式無電源マウスにおいては、ボール２を回転させている間だけしか発電を行うことができなかった。このため、停止時間の多い通常のマウス操作では効率良く発電を行うことができなかった。
【０００５】
本発明は、上記課題をかんがみてなされたもので、発電効率の良い発電式無電源マウスの提供を目的とする。
【０００６】
【課題を解決するための手段】
上記課題を解決するために、請求項１にかかる発明は、マウス本体と、上記マウス本体の底面に設置されて同マウス本体の移動で回転する回転駆動体と、伝達された回転力を慣性力で維持するはずみ車に上記回転駆動体の回転力を歯車を介して伝達するはずみ車機構と、上記はずみ車機構に連結された発電器と、上記発電器から電源供給されて蓄電する蓄電部と、上記蓄電部から電源供給されてマウス操作に応じた信号出力するマウス信号出力部とを具備し、上記はずみ車機構は、上記回転駆動体の回転力を上記はずみ車機構に伝達するとともに、上記回転駆動体が停止した際、はずみ車の慣性力による回転を阻害しない押しつめ支持機構を有する構成である。
【０００７】
上記のように構成した請求項１にかかる発明においては、マウス本体を移動させると、同マウス本体の底面に設置された回転駆動体が回転する。この回転駆動体の回転に伴ってはずみ車機構に備えられたはずみ車が回転駆動する。また、上記はずみ車機構は、上記回転駆動体が停止した際、はずみ車の慣性力による回転を阻害しない押しつめ支持機構を有する構成である。上記構成により回転するはずみ車が回転すると、はずみ車機構に連結された発電器にて発電が行われる。すると、同発電器から蓄電部に電源供給されて同蓄電部は蓄電する。また、マウス信号出力部は、この蓄電部からの電源供給によりマウス信号に応じた信号を出力する。
【０００８】
このマウス本体は、外部からケーブル等を介して電源を得ることなく底面に収容するマウスボールを回転させる等してマウス操作を行うことの可能なものを示している。上記回転駆動体は、マウス操作に伴うマウス本体の移動で回転可能なものであれば良く、通常のマウス操作を行うための上記マウスボールであっても良いし、同マウスボールとは別個の回転部材で構成されるものであっても良い。前者のような構成とした場合の一例として、上記請求項１に記載の発電式無電源マウスにおいて、上記回転駆動体は、マウスボールで構成されるとともに、上記はずみ車機構は、同マウスボールの二軸にて回転駆動される構成としてもよい。
【０００９】
上記構成においては、回転駆動体としてのマウスボールを回転させると、はずみ車機構は同マウスボールの二軸にて回転駆動される。このように、回転駆動体をマウスボール等の球体で構成すると一回転駆動体における二軸方向への回転で上記はずみ車を回転駆動させることができるという点で適例であるが、同回転駆動体は必ずしも球体に限られる必要はなく、本来の回転駆動体の観点においては、円柱状に形成した回転ローラ等を上記二軸方向に回転可能に配置して実現することも可能である。
【００１０】
また、この回転駆動体には、通常のマウス操作時に回転駆動可能なものや特別な操作により回転駆動可能なものが含まれる。この後者の場合の一例として、請求項２にかかる発明は、上記請求項１に記載の発電式無電源マウスにおいて、上記マウス本体は、上記回転駆動体と当接して回転力を上記はずみ車機構に伝達するピンチローラーを有し、上記ピンチローラーは、上記マウス本体を底面方向に押下げることにより上記回転駆動体と当接するよう、上記マウス本体内にて上記回転駆動体より上方に設置された構成である。
【００１１】
上記はずみ車機構は、上記回転駆動体にて回転駆動されるはずみ車を備えていれば良く、このはずみ車は、同回転駆動体の回転駆動を停止した後も自由回転可能なものを示している。このはずみ車機構の構成の一例として、請求項３にかかる発明は、上記請求項１または請求項２のいずれかに記載の発電式無電源マウスにおいて、上記はずみ車機構は、上記はずみ車に回転力を伝達する際、上記はずみ車の回転方向が一定になるよう、同はずみ車機構の歯車の伝達方向を規制する回転方向規制機構を有し、
上記押しつめ支持機構は、上記はずみ車と回転軸を同一にして固定するつめ車と、上記はずみ車機構からの回転力を伝達されるとともに、上記はずみ車と回転軸方向を同一にして回転する押しつめ支持板と、上記押しつめ支持板の両端に回転可能に配置され、同押しつめ支持板の回転力を上記つめ車の歯を押すことにより上記はずみ車に伝達する一対の押しつめとを備える構成である。
【００１２】
上記のように構成した請求項３にかかる発明においては、上記はずみ車機構は、回転方向規制機構によって上記はずみ車の回転方向が一定になるよう、同はずみ車機構の歯車の回転力の伝達方向を規制する。さらに、上記押しつめ支持機構は、上記はずみ車の慣性力による回転を阻害しないために、上記はずみ車機構から回転力を伝達されて回転する押しつめ支持板の回転力を、同押しつめ支持板の両端に回転可能に配置された一対の押しつめによって、上記つめ車の歯を押すことにより伝達する。上記発電器は、はずみ車機構に連結されるとともに同はずみ車機構の回転駆動により発電可能なものであれば良い。従って、巻きコイルを磁場中で回転させて実現することもできるし、コイルパターンをエッチングした円板を磁場中で回転させることにより実現することもできる。
【００１３】
上記蓄電部は、発電器から電源供給されて蓄電することができれば良く、リチウムイオン電池やニッケルカドミウム電池等の蓄電池で構成されるものが含まれる。
上記マウス信号出力部は、マウス操作に応じた信号を出力することが可能な構成であれば良く、同マウス操作に基づいた赤外光を出力するものや同マウス操作に基づいた電波を出力するもの等が含まれる。
【００１４】
【発明の効果】
以上説明したように本発明は、発電効率の良い発電式無電源マウスを提供することができる。
【００１５】
また、請求項２にかかる発明によれば、回転駆動体と別体で構成され、発電時にのみ押圧して回転駆動させるので通常時の操作の妨げとならない。さらに、請求項３にかかる発明によれば、マウス本体の移動をやめても上記発電器にて発電を継続させることができる。
【００１６】
【発明の実施の形態】
以下、図面にもとづいて本発明の実施形態を説明する。
図１は、本発明の一実施形態にかかるコードレスマウスを一部破断斜視図により示している。なお、説明の便宜上、図１において紙面左下方を前方と呼ぶとともに紙面右下方を左方と呼ぶことにする。
コードレスマウス１０は、ドーム型に形成されて下方が開口した上ケーシング２０ａと、この上ケーシング２０ａの開口部分の形状に合わせて成形された下ケーシング２０ｂとからなる本体部２０を備え、同上ケーシング２０ａの前方上面には一対の操作キー３０，３０を備えている。かかる構成により、利用者はコードレスマウス１０のドーム型部分を上方から手のひらでつかんで同コードレスマウス１０を前後左右に移動させたり、指で操作キー３０，３０を押下操作する等のマウス操作を行う。なお、コードレスマウス１０の前端には発光部４０が備えられ、このマウス操作に基づく赤外光を送信出力している。
【００１７】
また、この下ケーシング２０ｂの中央付近には、円形の貫通孔２０ｂ１が形成され、コードレスマウス１０の内部に備えられたマウスボール５０の下方部分を外方に露出させている。従って、利用者はコードレスマウス１０を前後左右に移動させて上記マウス操作を行うとき、このマウスボール５０を回転させることとなる。この意味で、マウスボール５０は回転駆動体を構成する。
このマウスボール５０の前方と右方には、マウスボール５０に当接するとともに同マウスボール５０の回転に伴って駆動されるピンチローラ６０ａ，６０ｂがそれぞれに備えられている。このピンチローラ６０ａ，６０ｂの回転力は、後述する歯車機構７０を介して発電器８０に伝達され、同発電器８０の動力源として用いられる。
【００１８】
図２は、この歯車機構７０の構成を概略図により示している。以下の説明では、回転軸を前後方向に持つ歯車等に関しては後側から見たときの回転方向を示し、回転軸を左右方向に持つ歯車等に関しては左側から見たときの回転方向を示す。
この歯車機構７０は、同図に示すように、各ピンチローラ６０ａ，６０ｂにおける時計回りの回転と反時計回りの回転とを区別してそれぞれの歯車に伝達する回転分離部７１，７２と、各回転分離部７１，７２における時計回りの回転と反時計回りの回転を一つの歯車の回転に統合する回転統合部７３〜７５と、この回転統合部７３〜７５で得られた回転力を発電器８０に伝達するとともに各ピンチローラ６０ａ，６０ｂの回転が停止した後も継続して自由回転可能なはずみ車部７６とから構成される。かかる構成により、前後方向に回転するピンチローラ６０ａと左右方向に回転するピンチローラ６０ｂとの回転力をまとめて一方向の回転として発電器８０に動力伝達するとともに、同ピンチローラ６０ａ，６０ｂの回転が停止してもさらに継続して同発電器８０を駆動させる。
【００１９】
上記回転分離部７１，７２は、ピンチローラ６０ａに関しては歯車７１ａ〜７１ｄで、ピンチローラ６０ｂに関しては歯車７２ａ〜７２ｄで構成されている。この回転分離部７１は、図３の（Ａ）に示すように、固定された回転軸で回転可能に支持される歯車７１ａと、同歯車７１ａに右側で噛合する歯車７１ｂと、歯車７１ａに左側で噛合する歯車７１ｃと、同歯車７１ｃに左側で噛合するとともに固定された回転軸で回転可能に支持される歯車７１ｄを備えている。
【００２０】
上記歯車７１ｂの回転軸は、支持アーム７１ｂ１の一端に回転可能に支持されており、同支持アーム７１ｂ１の他端は歯車７１ｂの右下方を支点に回転可能に支持されている。一方、歯車７１ｃの回転軸についても支持アーム７１ｃ１の一端に回転可能に支持されており、同支持アーム７１ｃ１の他端は歯車７１ｃの左下方を支点に回転可能に支持されている。
この支持アーム７１ｂ１は、同図に示す位置から上方向にだけ回転可能であるとともに微弱なつるまきバネ７１ｂ２により下方に付勢されており、同様に支持アーム７１ｃ１についても同図に示す位置から上方向にだけ回転可能であるとともに微弱なつるまきバネ７１ｃ２により下方に付勢されている。なお、これらの支持アーム７１ｂ１，７１ｃ１は、つるまきバネ７１ｂ２，７１ｃ２で下方に付勢することなく、上記歯車７１ｂ，７１ｃの自重だけで下方に戻らせる構成とすることも可能である。
【００２１】
従って、ピンチローラ６０ａを反時計回りに回転させると、このピンチローラ６０ａと同軸状態にある歯車７１ａもまた反時計回りに回転する。すると、図３の（Ｂ）に示すように、歯車７１ｃは歯車７１ａにより下方へ押しつけられながら時計回りに回転し、歯車７１ｄを反時計回りに回転させる。このとき、歯車７１ｂは歯車７１ａの回転力により右上方に跳ね上げられて回転しない。また、逆にピンチローラ６０ａを時計回りに回転させると、このピンチローラ６０ａと同軸状態にある歯車７１ａもまた時計回りに回転する。すると、図３の（Ｃ）に示すように、歯車７１ｂは歯車７１ａにより下方へ押しつけられながら反時計回りに回転する。このとき、歯車７１ｃは歯車７１ａの回転力により左上方に跳ね上げられて回転できず、これに伴って歯車７１ｄも同様に回転しない。
【００２２】
上記回転分離部７２についても上述した回転分離部７１の場合と同様に歯車７２ａ〜７２ｄにより構成される。従って、同ピンチローラ６０ｂが時計回りに回転すると歯車７２ｄが時計回りに回転し、反時計回りに回転すると歯車７２ｂが時計回りに回転する。
上記回転統合部７３では、歯車７１ｂと歯車７２ｂの回転を統合して時計回りの回転を歯車７３ｃに伝達し、回転統合部７４は、歯車７１ｄと歯車７２ｄの回転を統合して同様に時計回りの回転を歯車７４ｃに伝達する。そして、歯車７３ｃと歯車７４ｃの回転をまとめて歯車７５の回転力とする。
【００２３】
この回転統合部７３は、歯車７１ｂと同軸状態にあるかさ歯車７３ａと、歯車７２ｂと同軸状態にあるとともに同かさ歯車７３ａに噛合するかさ歯車７３ｂと、同かさ歯車７３ｂと同軸状態にある歯車７３ｃが備えられている。かかる構成により、歯車７１ｂが上述したように反時計回りに回転するとかさ歯車７３ａ，７３ｂを介して歯車７３ｃは時計回りに回転し、歯車７２ｂが時計回りに回転すると同軸状態にある歯車７３ｃも同様に時計回りに回転する。従って、歯車７１ｂと歯車７２ｂのうちのいずれかが回転すると上記歯車７３ｃは時計回りに回転することとなる。
【００２４】
一方、回転統合部７４は、歯車７１ｄと同軸状態にあるかさ歯車７４ａと、歯車７２ｄと同軸状態にあるとともに同かさ歯車７４ａに噛合するかさ歯車７４ｂと、同かさ歯車７４ｂと同軸状態にある歯車７４ｃを備えている。かかる構成により、歯車７１ｄが反時計回りに回転するとかさ歯車７４ａ，７４ｂを介して歯車７４ｃは時計回りに回転し、歯車７２ｄが時計回りに回転すると同軸状態にある歯車７４ｃも同様に時計回りに回転する。従って、歯車７１ｄと歯車７２ｄのうちのいずれかが回転すると上記歯車７４ｃは時計回りに回転することとなる。
【００２５】
また、歯車７５には上記歯車７３ｃと歯車７４ｃに噛合されている。このため、時計回りに回転する両歯車７３ｃ，７４ｃにより、同歯車７５は反時計回りに回転される。このようにして、各ピンチローラ６０ａ，６０ｂにおける各方向への回転力は、上述した過程を経て上記歯車７５の反時計回りへの回転にまとめられる。
通常のマウス操作では、利用者がコードレスマウス１０を移動させてマウスボール５０を回転させている時間よりもコードレスマウス１０を停止させている時間の方が長くなる。このため、本実施形態にかかるコードレスマウス１０では、利用者がコードレスマウス１０の移動をやめた後にも発電器８０を継続して駆動させられるように次のような構成からなるはずみ車部７６が備えられている。
【００２６】
このはずみ車部７６は、図４に示すように、発電器８０の駆動軸と同軸状態に支持されるつめ車付はずみ車７６ａと、同つめ車付はずみ車７６ａと別個の回転軸で支持されるとともに上記歯車７５と同軸状態に支持される押しつめ支持板７６ｂとから構成される。
このつめ車付はずみ車７６ａは、径の大きい金属製円板で形成されるはずみ車７６ａ１と、同はずみ車７６ａ１と同軸に固定されたつめ車７６ａ２から構成される。かかる構成により、つめ車７６ａ２に回転力が加えられた後にこの回転力が取り除かれても、はずみ車７６ａ１は自重による慣性力でしばらくの間回転し、つめ車付はずみ車７６ａ全体をしばらく自由回転させることとなる。なお、つめ車７６ａ２の周縁には径方向に複数のつめが形成されており、各つめは右方から斜め内側に切り込みを入れることにより形成されている。
【００２７】
一方、押しつめ支持板７６ｂは、前側中央につめ車付はずみ車７６ａの回転軸を収容可能な凹部が形成された板部材７６ｂ１と、同板部材７６ｂ１の両端に回転可能に支持された一対の押しつめ７６ｂ２，７６ｂ２とから構成される。この板部材７６ｂ１の後側中央には、歯車７５の回転軸が固定されており、同歯車７５と同軸状態で回転可能となっている。また、押しつめ７６ｂ２，７６ｂ２は、先端部分を上記つめ車７６ａ２に形成された切り込みに挿入可能なテーパ形状としたアームで構成され、付け根部分を支点として回転可能に支持されている。この押しつめ７６ｂ２，７６ｂ２は、微弱なつるまきバネにより時計回り方向に付勢されており、押しつめ支持板７６ｂが反時計回りに回転するときには押しつめ７６ｂ２，７６ｂ２がつめ車７６ａ２の各つめを押し回す。また、つめ車付はずみ車７６ａが上述したように反時計回りに自由回転するときには、各つめで押しつめ７６ｂ２，７６ｂ２を外方に押しのけながら同様に反時計回りに回転する。しかし、上述したようにつめ車付はずみ車７６ａが時計回りに回転しようとすると、各つめがこの押しつめ７６ｂ２，７６ｂ２に突き当てられて回転できない。このように、つめ車７６ａ２と、同つめ車７６ａ２に形成された各つめに係合される押しつめ７６ｂ２，７６ｂ２を有する押しつめ支持板７６ｂは、つめ車付はずみ車７６ａの回転を反時計回りだけに規制する。この意味で、つめ車７６ａ２と押しつめ支持板７６ｂは、回転方向規制機構を構成している。
【００２８】
以上のように、各ピンチローラ６０ａ，６０ｂのうちのいずれかが、いずれかの方向に回転駆動されると、つめ車付はずみ車７６ａが反時計回りに回転され、発電器８０が駆動される。
従って、マウスボール５０の回転力を歯車機構７０に伝達するピンチローラ６０ａ，６０ｂと、はずみ車部７６を含むとともに同ピンチローラ６０ａ，６０ｂから伝達された回転力を発電器８０に伝える歯車機構７０は、この意味で、はずみ車機構を構成する。
【００２９】
ところで、上記発電器８０は、図５に示すように、周方向に磁石のＮ極とＳ極とを交互に並べて配置した磁石円板８１と、コイルパターンをエッチング加工したコイル円板８２と、つめ車付はずみ車７６ａと磁石円板８１の回転軸を同軸に固定するとともにコイル円板８２の回転軸に回転可能に支持されるシャフト８３を備え、つめ車付はずみ車７６ａの回転力により磁石円板８１をコイル円板８２に形成されたコイルパターンに対面させながら回転させて発電を行っている。
【００３０】
この発電器８０で生じた電力は、図６に示すようにリチウムイオン電池９０に蓄えられた後、上記マウスボール５０の回転や上記操作キー３０の押下によるマウス操作に基づく赤外光を発光部４０に送信出力させる等する制御回路１００に供給される。この場合、発電器８０から得られた電力を一時的に蓄えるためにリチウムイオン電池９０を用いているが、ニッケルカドミウム電池等の他の蓄電池で構成することも可能である。
【００３１】
従って、上記発電器８０から得られた電力を蓄えるリチウムイオン電池９０は、蓄電部を構成し、マウス操作に基づく赤外光を発光部４０送信出力させる等する制御回路１００は、マウス信号出力部を構成する。
本実施形態では、通常のマウス操作に伴うマウスボール５０の回転を利用して発電を行っているが、必ずしも同発電を通常のマウス操作に基づいて行う必要はない。従って、利用者が通常のマウス操作を行うときには発電器８０を駆動させず、底面方向にコードレスマウス１０を押し下げながら移動させたときにだけ発電器８０を駆動させることができるように構成することもできる。
【００３２】
この場合の具体例として、図７の（Ａ）に示すように、マウス底面の前端部分と後端部分にそれぞれマウス内部に収容可能な脚部材１１０，１１０をつるまきバネ１１０ａ，１１０ａを介してマウス底面の外方に配置するとともに、上記ピンチローラ６０ａ，６０ｂをマウスボール５０の上方に同脚部材１１０の高さ分だけ離して備える構成としている。なお、コードレスマウス１０の押下を伴わない通常のマウス操作時には、マウスボール５０の側方に当接されたピンチローラ１２０，１２０が同マウスボール５０の回転に応じて回転駆動され、同ピンチローラ１２０，１２０の回転量や回転方向に基づいて発光部４０から赤外光が送信出力される。
【００３３】
ここで、利用者が上記発電を行なうべく図７の（Ｂ）に示すようにコードレスマウス１０を底面方向に押し下げると、マウスボール５０がコードレスマウス１０の内部に押し込まれるとともに脚部材１１０，１１０の上方部分がコードレスマウス１０の内部に収容され、マウスボール５０の下端が脚部材１１０，１１０と同量だけコードレスマウス１０の底面から突出される。このとき、マウスボール５０がピンチローラ６０ａ，６０ｂに当接するため、この押下状態でコードレスマウス１０を移動させてマウスボール５０を回転させると、同ピンチローラ６０ａ，６０ｂが回転駆動されて発電器８０の駆動が可能となる。
【００３４】
次に、本実施形態にかかるコードレスマウス１０が発電を行うときの動作を説明する。
利用者がコードレスマウス１０を前方に移動させた場合、マウスボール５０が前方に回転する。すると、ピンチローラ６０ａは時計回りに回転し、同軸状態にある歯車７１ａを同様に時計回りにさせるとともに、歯車７１ｂを反時計回りに回転させる。この歯車７１ｂと同軸状態にあるかさ歯車７３ａも同様に反時計回りに回転すると、同かさ歯車７３ａに噛合するかさ歯車７３ｂは時計回りに回転され、このかさ歯車７３ｂと同軸状態にある歯車７３ｃも同様に時計回りに回転する。そして、同歯車７３ｃに当接する歯車７５が反時計回りに回転すると、押しつめ支持板７６ｂも同様に反時計回りに回転し、押しつめ７６ｂ２，７６ｂ２を介してつめ車付はずみ車７６ａを同方向に押し回す。このため、同つめ車付はずみ車７６ａと同軸状態に支持された発電器８０の駆動軸を同じく反時計回りに回転させる。このとき、図５に示す磁石円板８１がコイル円板８２と円板面を対面させながら回転して発電を行う。生じた電力は図６に示す回路を介してリチウムイオン電池９０に蓄えられ、必要に応じて制御回路１００に供給される。この供給電源を用いて、同制御回路１００は利用者の行ったマウス操作に基づいて発光部４０に赤外光を送信出力させる。
【００３５】
また、利用者がコードレスマウス１０の移動をやめて同マウスボール５０の回転が停止したとき、上記歯車７１ａから押しつめ支持板７６ｂまでの回転が止まる。しかし、つめ車付はずみ車７６ａは、自重の慣性力により上述した反時計回りの自由回転を継続する。従って、マウスボール５０の回転が停止した後もつめ車付はずみ車７６ａは発電器８０の駆動軸を回転させ、同発電器８０に発電を続けさせることができる。なお、このつめ車付はずみ車７６ａは反対に時計回りに回転しようとすると、つめ車７６ａ２に形成された各つめが押しつめ７６ｂ２，７６ｂ２に押し当てられる。このため、つめ車付はずみ車７６ａは、反時計回りにだけ回転し、時計回りには回転できない。
【００３６】
利用者がコードレスマウス１０を右方に移動させた場合、マウスボール５０が右方に回転する。すると、ピンチローラ６０ｂは反時計回りに回転し、同軸状態にある歯車７２ａを同様に反時計回りにさせるとともに、歯車７２ｂを時計回りに回転させる。このとき、この歯車７２ｂと同軸状態にある歯車７３ｃも同様に時計回りに回転する。そして、上述した場合と同様につめ車付はずみ車７６ａを介して発電器８０を駆動させる。
【００３７】
一方、利用者がコードレスマウス１０を後方に移動させた場合、マウスボール５０が後方に回転する。すると、ピンチローラ６０ａは反時計回りに回転し、同軸状態にある歯車７１ａを同様に反時計回りにさせる。このため、同歯車７１ａに噛合された歯車７１ｃを時計回りに回転させ、歯車７１ｄを反時計回りに回転させる。この歯車７１ｄと同軸状態にあるかさ歯車７４ａも同様に反時計回りに回転すると、同かさ歯車７４ａに噛合するかさ歯車７４ｂは時計回りに回転され、このかさ歯車７４ｂと同軸状態にある歯車７４ｃも同様に時計回りに回転する。そして、同歯車７４ｃに当接する歯車７５が反時計回りに回転すると、押しつめ支持板７６ｂも同様に反時計回りに回転し、押しつめ７６ｂ２，７６ｂ２を介してつめ車付はずみ車７６ａを同方向に押し回す。このため、同つめ車付はずみ車７６ａと同軸状態に支持された発電器８０の駆動軸を同じく反時計回りに回転させて同発電器８０に発電を行わせる。そして、生じた電力をリチウムイオン電池９０を介して必要に応じて制御回路１００に供給する。すると、この供給電源を用いて、同制御回路１００は利用者の行ったマウス操作に基づいて発光部４０に赤外光を送信出力させる。この場合も上述した場合と同様に利用者がコードレスマウス１０の移動をやめてマウスボール５０の回転が停止した後であってもはずみ車７５ａによって発電器８０の駆動軸を回転させ、発電器８０に発電を続けさせることができる。
【００３８】
また、利用者がコードレスマウス１０を左方に移動させた場合、マウスボール５０が左方に回転する。すると、ピンチローラ６０ｂは時計回りに回転し、同軸状態にある歯車７２ａを同様に時計回りにさせる。このため、同歯車７２ａに噛合された歯車７２ｃを反時計回りに回転させ、歯車７２ｄを時計回りに回転させる。この歯車７２ｄと同軸状態にある歯車７４ｃも同様に時計回りに回転する。そして、上述した場合と同様につめ車付はずみ車７６ａを介して発電器８０を駆動させる。
【００３９】
以上の前後左右へのコードレスマウス１０の移動を組み合わせて、同コードレスマウス１０の斜めへの移動やカーブ状の移動等も同様に考えることができる。このように、マウスボール５０と発電器８０の駆動軸との間に介在される歯車機構７０に備えられたつめ車付はずみ車７６ａの働きにより、利用者がコードレスマウス１０を移動させてマウスボール５０を回転させた後、同マウスボール５０の回転が止まってもしばらくの間発電器８０の駆動軸を回転させて発電を継続させることができ、同発電器８０の発電効率を向上させることができる。
【図面の簡単な説明】
【図１】本実施形態にかかるコードレスマウスの構成を示す一部破断斜視図である。
【図２】歯車機構の構成を示す概略図である。
【図３】回転分離部の構成を示す概略図である。
【図４】はずみ車部の構成を示す概略図である。
【図５】発電器の構成を示す分解斜視図である。
【図６】コードレスマウス内の電源供給回路を示す回路図である。
【図７】変形例にかかるコードレスマウスの構成を示す側面図である。
【図８】従来のコードレスマウスの構成を示す概略図である。
【符号の説明】
１０…コードレスマウス
２０…本体部
５０…マウスボール
６０ａ，６０ｂ…ピンチローラ
７０…歯車機構
８０…発電器
９０…リチウムイオン電池
１００…制御回路
【図１】
0003891647.tif 000002
【図２】
0003891647.tif 000003
【図３】
0003891647.tif 000004
【図４】
0003891647.tif 000005
【図５】
0003891647.tif 000006
【図６】
0003891647.tif 000007
【図７】
0003891647.tif 000008
【図８】
0003891647.tif 000009